(57)【要約】      （修正有）【課題】デフォルトの設定を任意に変更することができる制御装置、プログラム及びシステムを提供する。【解決手段】制御装置１０は、送信部と、記憶部と、を備える。送信部は、照明機器２０ａ〜２０ｃに、照明制御に関する制御値を変更する信号と、現在の制御値を照明制御に関するデフォルトの制御値とする制御値変更信号と、を送信する。記憶部は、照明制御に関するデフォルトの制御値を記憶する。【選択図】図１
2018037986.tif 000002
【特許請求の範囲】
【請求項１】
照明機器に、照明制御に関する制御値を変更する信号と、現在の制御値を照明制御に関するデフォルトの制御値とする制御値変更信号と、を送信する送信部を備える、
制御装置。
【請求項２】
前記送信部は、前記照明機器に、現在の制御値をデフォルトの制御値に戻すリセット信号を送信する、
前記請求項１に記載の制御装置。
【請求項３】
前記照明機器から、デフォルトの制御値と現在の制御値とを受信する受信部と、
前記デフォルトの制御値と、前記現在の制御値と、を表示する表示部と、
を備える、
前記請求項１又は２に記載の制御装置。
【請求項４】
前記受信部は、前記照明機器から、前記照明機器の名称を受信し、
前記表示部は、前記名称を表示する、
前記請求項３に記載の制御装置。
【請求項５】
名称の入力を受け付ける操作部を備え、
前記送信部は、前記照明機器に、前記名称に変更する名称変更信号を送信する、
前記請求項１乃至４の何れか１項に記載の制御装置。
【請求項６】
前記制御値は、調光レベルを示す、
前記請求項１乃至５の何れか１項に記載の制御装置。
【請求項７】
前記送信部は、Ｂｌｕｅｔｏｏｔｈ接続をサポートする、
前記請求項１乃至６の何れか１項に記載の制御装置。
【請求項８】
制御装置で動作するプログラムであって、
プロセッサに、
照明機器に、照明制御に関する制御値を変更する調光信号と、現在の制御値を照明制御に関するデフォルトの制御値とする制御値変更信号と、を送信させる、
プログラム。
【請求項９】
制御装置と照明機器とを備えるシステムであって、
前記制御装置は、
前記照明機器に、照明制御に関する制御値を変更する調光信号と、現在の制御値を照明制御に関するデフォルトの制御値とする制御値変更信号と、を送信する送信部を備え、
前記照明機器は、
照明制御に関するデフォルトの制御値を記憶する記憶部と、
発光する点灯部と、
前記調光信号と前記制御値変更信号とを受信する受信部と、
前記調光信号に従って前記点灯部の制御値を変更する制御部と、
前記制御値変更信号に従って前記デフォルトの制御値を変更する制御値変更部と、
を備える、
システム。
【発明の詳細な説明】
【技術分野】
【０００１】
本発明の実施形態は、制御装置、プログラム及びシステムに関する。
【背景技術】
【０００２】
照明機器には、制御端末からの制御信号に基づいて調光など照明に関する制御を行うものがある。照明機器は、所定の操作に基づいてデフォルトの設定に戻ることができる。
【０００３】
しかしながら、従来、照明機器は、デフォルトの設定を任意に変更することができないという課題がある。
【先行技術文献】
【特許文献】
【０００４】
【特許文献１】特開２０１５−０１８６３６号公報
【発明の概要】
【発明が解決しようとする課題】
【０００５】
上記の課題を解決するために、デフォルトの設定を任意に変更することができる制御装置、プログラム及びシステムを提供する。
【課題を解決するための手段】
【０００６】
実施形態によれば制御装置は、送信部を備える。送信部は、照明機器に、照明制御に関する制御値を変更する調光信号と、現在の制御値を照明制御に関するデフォルトの制御値とする制御値変更信号と、を送信する。
【発明の効果】
【０００７】
この発明によれば、デフォルトの制御値を任意に設定することができる機器、システム及びプログラムを提供する。
【図面の簡単な説明】
【０００８】
【図１】図１は、実施形態に係る照明システムの構成例を示す図である。
【図２】図２は、実施形態に係る制御装置の構成例を示す図である。
【図３】図３は、実施形態に係る照明機器の構成例を示す図である。
【図４】図４は、実施形態に係る制御装置の表示例を示す図である。
【図５】図５は、実施形態に係る制御装置の表示例を示す図である。
【図６】図６は、実施形態に係る照明システムの動作例を示すシーケンス図である。
【図７】図７は、実施形態に係る照明システムの動作例を示すシーケンス図である。
【図８】図８は、実施形態に係る照明システムの動作例を示すシーケンス図である。
【図９】図９は、実施形態に係る照明システムの動作例を示すシーケンス図である。
【図１０】図１０は、実施形態に係る照明システムの動作例を示すシーケンス図である。
【図１１】図１１は、実施形態に係る照明システムの動作例を示すシーケンス図である。
【図１２】図１２は、実施形態に係る照明システムの動作例を示すシーケンス図である。
【発明を実施するための形態】
【０００９】
以下、実施の形態について図面を参照して説明する。  
以下で説明する実施形態に係る制御装置（１０）は、送信部（１５）を備える。送信部は、照明機器（２０）に、照明制御に関する制御値を変更する信号と、現在の制御値を照明制御に関するデフォルトの制御値とする制御値変更信号と、を送信する。
【００１０】
以下で説明する実施形態に係る前記送信部は、前記照明機器に、現在の制御値をデフォルトの制御値に戻すリセット信号を送信する。
【００１１】
以下で説明する実施形態に係る制御装置は、さらに、受信部（１５）と、表示部（１７）と、を備える。受信部は、前記照明機器から、デフォルトの制御値と現在の制御値とを受信する。表示部は、前記デフォルトの制御値と、前記現在の制御値と、を表示する。
【００１２】
以下で説明する実施形態に係る前記受信部は、前記照明機器から、前記照明機器の名称を受信する。前記表示部は、前記名称を表示する。
【００１３】
以下で説明する実施形態に係る制御装置は、さらに、操作部（１６）を備える。操作部は、名称の入力を受け付ける。前記送信部は、前記照明機器に、前記名称に変更する名称変更信号を送信する。
【００１４】
以下で説明する実施形態に係る前記制御値は、調光レベルを示す。
【００１５】
以下で説明する実施形態に係る前記送信部は、Ｂｌｕｅｔｏｏｔｈ（登録商標）接続をサポートする。
【００１６】
以下で説明する実施形態に係るプログラムは、制御装置で動作する。プログラムは、プロセッサ（１１）に、照明機器（２０）に、照明制御に関する制御値を変更する調光信号と、現在の制御値を照明制御に関するデフォルトの制御値とする制御値変更信号と、を送信させる。
【００１７】
以下で説明する実施形態に係るシステム（１）は、制御装置（１０）と照明機器（２０）とを備える。前記制御装置は、送信部（１５）を備える。送信部は、前記照明機器に、照明制御に関する制御値を変更する調光信号と、現在の制御値を照明制御に関するデフォルトの制御値とする制御値変更信号と、を送信する。前記照明機器は、記憶部（２２）と、点灯部（２４）と、受信部（２３）と、制御部（２１）と、制御値変更部（２１）と、を備える。記憶部は、照明制御に関するデフォルトの制御値を記憶する。点灯部は、発光する。受信部は、前記調光信号と前記制御値変更信号とを受信する。制御部は、前記調光信号に従って前記点灯部の制御値を変更する。制御値変更部は、前記制御値変更信号に従って前記デフォルトの制御値を変更する。
【００１８】
図１は、実施形態に係る照明システム１の構成例を示す図である。  
照明システム１は、制御装置を用いて無線通信により、制御可能な照明機器などを制御するシステムである。たとえば、制御装置は、照明機器に制御信号を送信し、照明機器を制御する。たとえば、制御装置は、照明機器をオン若しくはオフにし、又は、照明機器を調光する。照明システム１は、たとえば、住宅、オフィス、美術館又は商業施設などに設置される。
【００１９】
図１が示すように、照明システム１は、制御装置１０、照明機器２０ａ、照明機器２０ｂ及び照明機器２０ｃなどを備える。
【００２０】
制御装置１０は、照明機器２０ａ乃至２０ｃに対して種々の制御信号を送信する。たとえば、制御装置１０は、照明機器２０ａ乃至２０ｃと通信を確立し、制御信号を送信する。また、制御装置１０は、照明機器２０ａ乃至２０ｃから信号を受信してもよい。たとえば、制御装置１０は、照明機器２０ａ乃至２０ｃから調光の状態などを示す信号を受信してもよい。
【００２１】
照明機器２０ａ乃至２０ｃは、制御装置１０からの制御信号に基づいて点灯部を発光させる。たとえば、照明機器２０ａ乃至２０ｃは、制御装置１０からの制御信号に基づいて点灯部をオン若しくはオフし、又は点灯部を調光する。
【００２２】
なお、照明システム１は、１つ又は２つの照明機器を備えてもよい。また、照明システム１は、４つ以上の照明機器を備えてもよい。照明システム１が備える照明機器の個数は、特定の個数に限定されるものではない。
【００２３】
次に、制御装置１０の構成例について説明する。  
図２は、制御装置１０の構成例を示すブロック図である。  
図２が示す構成例において、制御装置１０は、基本的な構成として、ＣＰＵ１１、ＲＯＭ１２、ＲＡＭ１３、ＮＶＭ１４、通信部１５、操作部１６及び表示部１７などを備える。これらの各部は、データバスを介して互いに接続される。なお、制御装置１０は、図２が示すような構成の他に必要に応じた構成を具備したり、特定の構成を除外したりしてもよい。
【００２４】
ＣＰＵ１１（プロセッサ）は、制御装置１０全体の動作を制御する機能を有する。ＣＰＵ１１は、内部キャッシュおよび各種のインターフェースなどを備えても良い。ＣＰＵ１１は、内部メモリ、ＲＯＭ１２又はＮＶＭ１４が予め記憶するプログラムを実行することにより種々の処理を実現する。
【００２５】
なお、ＣＰＵ１１がプログラムを実行することにより実現する各種の機能のうちの一部は、ハードウエア回路により実現されるものであっても良い。この場合、ＣＰＵ１１は、ハードウエア回路により実行される機能を制御する。
【００２６】
ＲＯＭ１２は、予め制御用のプログラム及び制御データなどが記憶された不揮発性のメモリである。ＲＯＭ１２に記憶される制御プログラム及び制御データは、予め制御装置１０の仕様に応じて組み込まれる。ＲＯＭ１２は、たとえば、制御装置１０の回路基板を制御するプログラム（例えば、ＢＩＯＳ）などを格納する。
【００２７】
ＲＡＭ１３は、揮発性のメモリである。ＲＡＭ１３は、ＣＰＵ１１の処理中のデータなどを一時的に格納する。ＲＡＭ１３は、ＣＰＵ１１からの命令に基づき種々のアプリケーションプログラムを格納する。また、ＲＡＭ１３は、アプリケーションプログラムの実行に必要なデータ及びアプリケーションプログラムの実行結果などを格納してもよい。
【００２８】
ＮＶＭ１４は、データの書き込み及び書き換えが可能な不揮発性のメモリである。ＮＶＭ１４は、例えば、ハードディスク、ＳＳＤ、ＥＥＰＲＯＭ（登録商標）又はフラッシュメモリなどにより構成される。ＮＶＭ１４は、制御装置１０の運用用途に応じて制御プログラム、アプリケーション、及び種々のデータを格納する。
【００２９】
通信部１５（送信部、受信部）は、無線通信で照明機器２０ａ乃至２０ｃとデータを送受信するためのインターフェースである。通信部１５は、たとえば、Ｂｌｕｅｔｏｏｔｈ接続をサポートするインターフェースである。ここでは、通信部１５は、Ｂｌｕｅｔｏｏｔｈ  Ｌｏｗ  Ｅｎｅｒｇｙ（ＢＬＥ）通信をサポートするものとする。
【００３０】
操作部１６は、制御装置１０の操作者によって、種々の操作指示が入力される。操作部１６は、操作者に入力された操作指示の信号をＣＰＵ１１へ送信する。操作部１６は、たとえば、キーボード、テンキー、及び、タッチパネルなどである。
【００３１】
表示部１７は、ＣＰＵ１１の制御により種々の情報を表示する表示装置である。表示部１７は、たとえば、液晶モニタなどである。なお、操作部１６がタッチパネルなどで構成される場合、表示部１７は、操作部１６と一体的に形成されてもよい。
【００３２】
ここでは、操作部１６は、タッチパネルから構成され、表示部１７と一体的に形成されるものとする。
【００３３】
次に、照明機器２０ａ乃至２０ｃの構成例について説明する。照明機器２０ａ乃至２０ｃは、同様の構成であるため、照明機器２０として説明する。
【００３４】
図３は、照明機器２０の構成例を示す図である。  
図３が示すように、照明機器２０は、ＣＰＵ２１、メモリ部２２、通信部２３及び点灯部２４などを備える。これらの各部は、データバスを介して互いに接続される。なお、照明機器２０は、図３が示すような構成の他に必要に応じた構成を具備したり、特定の構成を除外したりしてもよい。
【００３５】
ＣＰＵ２１は、照明機器２０全体の動作を制御する機能を有する。ＣＰＵ２１は、内部キャッシュおよび各種のインターフェースなどを備えても良い。ＣＰＵ２１は、内部メモリ又はメモリ部２２に予め記憶したプログラムを実行することにより種々の処理を実現する。ＣＰＵ２１は、たとえば、プロセッサである。
【００３６】
なお、ＣＰＵ２１がプログラムを実行することにより実現する各種の機能のうちの一部は、ハードウエア回路により実現されるものであっても良い。この場合、ＣＰＵ２１は、ハードウエア回路により実行される機能を制御する。
【００３７】
メモリ部２２は、揮発性メモリ及び不揮発性メモリなどから構成される。たとえば、メモリ部２２は、予め制御用のプログラム及び制御データなどを格納する。また、メモリ部２２は、ＣＰＵ２１の処理中のデータなどを一時的に格納する。たとえば、メモリ部２２は、ＣＰＵ２１からの命令に基づき種々の実行中のアプリケーションプログラムを格納する。また、メモリ部２２は、アプリケーションプログラムの実行に必要なデータ及びアプリケーションプログラムの実行結果などを格納してもよい。
【００３８】
メモリ部２２（記憶部）は、記憶領域２２ａ、２２ｂ及び２２ｃなどを備える。  
記憶領域２２ａは、照明制御に関するデフォルトの制御値を格納する。たとえば、制御値は、照明機器２０の調光レベル、色、点滅又はフェードなどを示す。ここでは、記憶領域２２ａは、デフォルトの制御値として、例えば調光レベルを示す値（記憶値）を格納する。記憶値は、点灯部２４の調光レベルを示す。たとえば、記憶値は、最大調光レベルに対する割合である。ここでは、記憶値は、最大調光レベルを１００とした場合に調光レベルを示す割合である。なお、デフォルトの制御値としては、照明機器の光色等、照明機器の照射光に関する制御値を用いてもよい。  
記憶領域２２ａは、不揮発的に記憶値を格納する。
【００３９】
記憶領域２２ｂは、点灯部２４の現在の調光レベルを示す値（再生値）を格納する。
【００４０】
再生値（現在の制御値）は、点灯部２４の現在の調光レベルを示す。たとえば、再生値は、最大調光レベルに対する割合である。ここでは、再生値は、最大調光レベルを１００とした場合に調光レベルを示す割合である。  
記憶領域２２ｂは、揮発的に再生値を格納してもよい。
【００４１】
記憶領域２２ｃは、照明機器２０の名称を格納する。名称は、たとえば、文字列、数値、記号又はそれらの組合せである。記憶領域２２ｃは、製造時においては、名称を格納しない（名称として空欄を格納する）。  
記憶領域２２ｃは、不揮発的に名称を格納する。
【００４２】
通信部２３（受信部）は、無線通信で制御装置１０とデータを送受信するためのインターフェースである。通信部２３は、たとえば、Ｂｌｕｅｔｏｏｔｈ接続をサポートするインターフェースである。ここでは、通信部２３は、Ｂｌｕｅｔｏｏｔｈ  Ｌｏｗ  Ｅｎｅｒｇｙ（ＢＬＥ）通信をサポートするものとする。
【００４３】
点灯部２４は、ＣＰＵ２１からの信号に基づいて発光する。また、点灯部２４は、ＣＰＵ２１からの信号に基づいて調光する。点灯部２４は、たとえば、図示されない電源部から電力の供給を受けて発光する。点灯部２４は、たとえば、白熱電球、蛍光灯、又は、ＬＥＤなどから構成される。
【００４４】
次に、照明機器２０のＣＰＵ２１が実現する機能について説明する。  
まず、ＣＰＵ２１は、制御装置１０に記憶値を送信する機能を有する。  
たとえば、ＣＰＵ２１は、通信部２３を通じて制御装置１０から記憶値を取得するリクエストを受信する。ＣＰＵ２１は、当該リクエストを受信すると、メモリ部２２の記憶領域２２ａから記憶値を取得する。ＣＰＵ２１は、通信部２３を通じて制御装置１０へ記憶値を格納するレスポンスを送信する。
【００４５】
また、ＣＰＵ２１は、制御装置１０に再生値を送信する機能を有する。  
たとえば、ＣＰＵ２１は、通信部２３を通じて制御装置１０から再生値を取得するリクエストを受信する。ＣＰＵ２１は、当該リクエストを受信すると、記憶領域２２ｂから再生値を取得する。ＣＰＵ２１は、通信部２３を通じて制御装置１０へ再生値を格納するレスポンスを送信する。
【００４６】
なお、ＣＰＵ２１は、制御装置１０から記憶値及び再生値を取得するリクエストを受信してもよい。ＣＰＵ２１は、制御装置１０へ記憶値及び再生値を格納するレスポンスを送信してもよい。
【００４７】
また、ＣＰＵ２１は、制御装置１０からの信号に基づいて点灯部２４が発する光を調光する機能を有する（制御部）。  
たとえば、ＣＰＵ２１は、通信部２３を通じて制御装置１０から、所定の調光レベルを示す再生値を格納する調光信号を受信する。ＣＰＵ２１は、当該調光信号に従って点灯部２４を調光する。また、ＣＰＵ２１は、記憶領域２２ｂにおいて再生値を調光信号が示す調光レベルに変更する。
【００４８】
たとえば、調光信号が再生値として「２０」を示す場合、ＣＰＵ２１は、再生値「２０」に対応する光を発するように点灯部２４を調光する。また、ＣＰＵ２１は、記憶領域２２ｂの再生値を「２０」へ変更する。
【００４９】
また、ＣＰＵ２１は、制御装置１０からの信号に基づいて制御値を変更する機能を有する（制御値変更部）。  
たとえば、ＣＰＵ２１は、通信部２３を通じて制御装置１０から、制御値としての記憶値を現在の再生値に変更する記憶値変更信号（制御値変更信号）を受信する。ＣＰＵ２１は、当該記憶値変更信号に従って、記憶領域２２ａにおいて記憶値を現在の再生値に変更する。たとえば、再生値が「２０」であり記憶値が「１００」である場合、ＣＰＵ２１は、記憶値変更信号に従って記憶領域２２ａにおいて記憶値を「２０」に変更する。
【００５０】
なお、ＣＰＵ２１は、制御装置１０から記憶値を指定する信号を受信し、記憶領域２２ａにおいて記憶値を当該信号が指定する記憶値に変更してもよい。
【００５１】
また、ＣＰＵ２１は、制御装置１０からの信号に基づいてデフォルトの調光レベルに戻す機能を有する。  
たとえば、ＣＰＵ２１は、通信部２３を通じて制御装置１０からデフォルトの調光レベルに戻す（記憶値を再生値とする）リセット信号を受信する。ＣＰＵ２１は、当該リセット信号を受信すると、記憶領域２２ａから記憶値を取得する。ＣＰＵ２１は、記憶値を取得すると、記憶値が示すデフォルトの調光レベルに点灯部２４を調光する。また、ＣＰＵ２１は、記憶領域２２ｂにおいて再生値を記憶値に変更する。
【００５２】
たとえば、再生値が「５０」であり記憶値が「２０」である場合、ＣＰＵ２１は、記憶値「２０」に対応する光を発するように点灯部２４を調光する。また、ＣＰＵ２１は、記憶領域２２ｂにおいて再生値を「２０」に変更する。
【００５３】
また、ＣＰＵ２１は、点灯部２４の点灯開始時において、記憶値が示すデフォルトの調光レベルに点灯部２４を調光する。  
たとえば、ＣＰＵ２１は、通信部２３を通じて点灯部２４をオンにする起動信号を受信する。ＣＰＵ２１は、電源が投入されて立ち上がってとき、または起動信号を受信すると、記憶領域２２ａから記憶値を取得する。ＣＰＵ２１は、記憶値を取得すると、デフォルトの制御値として記憶値が示すデフォルトの調光レベルで点灯部２４を調光する。
【００５４】
また、ＣＰＵ２１は、制御装置１０に名称を送信する機能を有する。  
たとえば、ＣＰＵ２１は、通信部２３を通じて制御装置１０から名称を取得するリクエストを受信する。ＣＰＵ２１は、当該リクエストを受信すると、メモリ部２２の記憶領域２２ｃから名称を取得する。ＣＰＵ２１は、通信部２３を通じて制御装置１０へ名称を格納するレスポンスを送信する。
【００５５】
なお、記憶領域２２ｃが名称として空欄を格納する場合、ＣＰＵ２１は、名称として空欄を制御装置１０へ送信してもよい。また、ＣＰＵ２１は、空欄であることを示すレスポンスを制御装置１０へ送信してもよい。
【００５６】
また、ＣＰＵ２１は、制御装置１０からの信号に基づいて名称を変更する機能を有する（名称変更部）。  
たとえば、ＣＰＵ２１は、通信部２３を通じて制御装置１０から、新たな名称を格納する名称変更信号を受信する。ＣＰＵ２１は、当該名称変更信号に従って、記憶領域２２ｃにおいて名称を当該名称変更信号が格納する名称に変更する。なお、記憶領域２２ｃが名称として空欄を格納する場合、ＣＰＵ２１は、名称変更信号が示す名称を記憶領域２２ｃに格納する。
【００５７】
次に、ＣＰＵ１１が実現する機能について説明する。  
まず、ＣＰＵ１１は、照明機器２０から記憶値を取得する機能を有する。  
たとえば、ＣＰＵ１１は、通信部１５を通じて照明機器２０へ記憶値を取得するリクエストを送信する。ＣＰＵ１１は、通信部１５を通じて照明機器２０から記憶値を格納するレスポンスを受信する。
【００５８】
また、ＣＰＵ１１は、照明機器２０から再生値を取得する機能を有する。  
たとえば、ＣＰＵ１１は、通信部１５を通じて照明機器２０へ再生値を取得するリクエストを送信する。ＣＰＵ１１は、通信部１５を通じて照明機器２０から再生値を格納するレスポンスを受信する。
【００５９】
なお、ＣＰＵ１１は、通信部１５を通じて照明機器２０へ記憶値及び再生値を取得するリクエストを送信してもよい。ＣＰＵ１１は、通信部１５を通じて照明機器２０から記憶値及び再生値を格納するレスポンスを受信する。
【００６０】
また、ＣＰＵ１１は、記憶値及び再生値を表示する機能を有する。  
たとえば、ＣＰＵ１１は、表示部１７に記憶値を表示するフレームと再生値を表示するフレームとを表示する。ＣＰＵ１１は、各フレームに記憶値と再生値とを表示する。  
また、ＣＰＵ１１は、新たに記憶値又は再生値を取得した場合、記憶値又は再生値の表示を更新する。
【００６１】
また、ＣＰＵ１１は、照明機器２０へ調光信号を送信する機能を有する。  
たとえば、ＣＰＵ１１は、操作部１６を通じて調光レベルの入力を受け付ける。たとえば、ＣＰＵ１１は、表示部１７に調光レベルを変更するアイコンを表示する。ＣＰＵ１１は、当該アイコンへのタップを受け付けることで、調光レベルの入力を受け付ける。
【００６２】
ＣＰＵ１１は、入力された調光レベルを示す再生値を格納する調光信号を生成する。ＣＰＵ１１は、通信部１５を通じて照明機器２０へ当該調光信号を送信する。
【００６３】
また、ＣＰＵ１１は、照明機器２０へ記憶値を変更する記憶値変更信号を送信する機能を有する。  
たとえば、ＣＰＵ１１は、操作部１６を通じて、記憶値を現在の再生値に変更する操作を受け付ける。たとえば、ＣＰＵ１１は、記憶値を現在の再生値に変更する操作を受け付けるアイコンを表示部１７に表示する。ＣＰＵ１１は、当該アイコンへのタップを受け付けることで、記憶値を現在の再生値に変更する操作を受け付ける。
【００６４】
ＣＰＵ１１は、当該操作を受け付けると、記憶値を現在の再生値に変更する記憶値変更信号を生成する、ＣＰＵ１１は、通信部１５を通じて照明機器２０へ当該記憶値変更信号を送信する。  
なお、ＣＰＵ１１は、記憶値を指定する信号を照明機器２０へ送信してもよい。
【００６５】
また、ＣＰＵ１１は、通信部１５を通じて照明機器２０へデフォルトの調光レベルに戻すリセット信号を送信する機能を有する。  
たとえば、ＣＰＵ１１は、操作部１６を通じて、照明機器２０をデフォルトの調光レベルに戻す操作を受け付ける。たとえば、ＣＰＵ１１は、表示部１７に照明機器２０をデフォルトの調光レベルに戻す操作を受け付けるアイコンを表示する。ＣＰＵ１１は、当該アイコンへのタップを受け付けることで、照明機器２０をデフォルトの調光レベルに戻す操作を受け付ける。
【００６６】
ＣＰＵ１１は、当該操作を受け付けると、リセット信号を生成する。ＣＰＵ１１は、通信部１５を通じて照明機器２０へ当該リセット信号を送信する。
【００６７】
また、ＣＰＵ１１は、照明機器２０をオンにする起動信号を照明機器２０へ送信する機能を有する。  
たとえば、ＣＰＵ１１は、照明機器２０をオンにする操作を受け付ける。たとえば、ＣＰＵ１１は、表示部１７に照明機器２０をオンにする操作を受け付けるアイコンを表示する。ＣＰＵ１１は、当該アイコンへのタップを受け付けることで、照明機器２０をオンにする操作を受け付ける。
【００６８】
ＣＰＵ１１は、当該操作を受け付けると、起動信号を生成する。ＣＰＵ１１は、通信部１５を通じて照明機器２０へ当該起動信号を送信する。
【００６９】
また、ＣＰＵ１１は、照明機器２０から名称を取得する機能を有する。  
たとえば、ＣＰＵ１１は、通信部１５を通じて照明機器２０へ名称を取得するリクエストを送信する。ＣＰＵ１１は、通信部１５を通じて照明機器２０から名称を格納するレスポンスを受信する。
【００７０】
また、ＣＰＵ１１は、名称を表示する機能を有する。  
たとえば、ＣＰＵ１１は、表示部１７に名称を表示するテキストボックスを表示する。ＣＰＵ１１は、当該テキストボックスに名称を表示する。  
なお、名称が空欄である場合、ＣＰＵ１１は、所定のデフォルトの名称を表示する。
【００７１】
また、ＣＰＵ１１は、照明機器２０へ名称を変更する名称変更信号を送信する機能を有する。  
たとえば、ＣＰＵ１１は、操作部１６を通じて新たな名称の入力を受け付ける。たとえば、ＣＰＵ１１は、表示部１７に名称の入力を受け付けるテキストボックスを表示する。ＣＰＵ１１は、当該テキストボックスへ新たな名称の入力を受け付ける。ＣＰＵ１１は、当該テキストボックスに入力された名称を新たな名称として取得する。なお、表示部１７に名称の入力を受け付けるテキストボックスは、名称を表示するテキストボックスと同一であってもよい。
【００７２】
ＣＰＵ１１は、新たな名称を取得すると、新たな名称を格納する名称変更信号を生成する。ＣＰＵ１１は、通信部１５を通じて照明機器２０へ当該名称変更信号を送信する。  
なお、ＣＰＵ１１は、所定のアイコンへのタップを受け付けると、新たな名称の入力を終了したと判定して、名称更新信号を生成してもよい。
【００７３】
次に、表示部１７が表示する操作画面の例について説明する。  
図４は、表示部１７が表示する操作画面の例を示す図である。  
図４が示す例では、ＣＰＵ１１は、所定の照明機器２０と通信を確立し、当該照明機器２０を制御するものである。
【００７４】
図４が示すように、ＣＰＵ１１は、表示部１７に、テキストボックス３１、フレーム３２、フレーム３３、アイコン３４、アイコン３５及びアイコン３６などを表示する。
【００７５】
テキストボックス３１は、照明機器２０の名称を表示する。また、テキストボックス３１は、新たな名称の入力を受け付ける。
【００７６】
フレーム３２は、再生値を表示する。  
フレーム３３は、記憶値を表示する。  
アイコン３４は、調光レベルの入力を受け付ける。たとえば、アイコン３４は、光量を上げるアイコン及び光量を下げるアイコンを備える。また、アイコン３４は、調光レベルを示すメータを備えてもよい。
【００７７】
アイコン３５は、記憶値を現在の再生値に変更する操作を受け付ける。
【００７８】
アイコン３６は、照明機器２０をデフォルトの調光レベルに戻す操作を受け付ける。
【００７９】
なお、ＣＰＵ１１は、表示部１７に他のアイコン又は他の情報を表示してもよい。ＣＰＵ１１が表示部１７に表示する内容は、特定の構成に限定されるものではない。
【００８０】
次に、ＣＰＵ１１が新たな名称の入力を受け付ける操作画面について説明する。  
図４は、新たな名称の入力を受け付ける操作画面の例を示す。  
図４が示すように、ＣＰＵ１１は、キーボード３７を表示する。  
たとえば、図３の状態において、ＣＰＵ１１は、テキストボックス３１へのタップを受け付けると、キーボード３７を表示する。
【００８１】
キーボード３７は、新たな名称の入力を受け付ける。
【００８２】
ＣＰＵ１１は、キーボード３７に入力された名称をテキストボックス３１に表示する。
【００８３】
なお、ＣＰＵ１１は、キーボード３７のエンターキーへのタップを受け付けると、新たな名称の受付を終了してもよい。
【００８４】
次に、照明システム１の動作例について説明する。  
まず、照明システム１において制御装置１０が記憶値を表示する動作例について説明する。  
図６は、制御装置１０のＣＰＵ１１が記憶値を表示する動作例について説明するフローチャートである。ここでは、記憶値は、「１００」であるものとする。
【００８５】
まず、ＣＰＵ１１は、通信部１５を通じて照明機器２０へ記憶値を取得するリクエストを送信する（Ｓ１１）。
【００８６】
照明機器２０のＣＰＵ２１は、通信部２３を通じて当該リクエストを受信する。当該リクエストを受信すると、ＣＰＵ２１は、記憶領域２２ａから記憶値（「１００」）を取得する（Ｓ１２）。記憶値を取得すると、ＣＰＵ２１は、通信部２３を通じて記憶値を格納するレスポンスを制御装置１０へ送信する（Ｓ１３）。
【００８７】
ＣＰＵ１１は、通信部１５を通じて当該レスポンスを受信する。当該レスポンスを受信すると、ＣＰＵ１１は、フレーム３３に当該レスポンスが格納する記憶値（「１００」）を表示する（Ｓ１４）。  
なお、ＣＰＵ２１は、点灯部２４を点灯させていなくともよいし、点灯させていてもよい。
【００８８】
次に、照明システム１において制御装置１０が再生値を表示する動作例について説明する。
【００８９】
図７は、制御装置１０のＣＰＵ１１が再生値を表示する動作例について説明するフローチャートである。ここでは、記憶値は、「１００」であるものとする。
【００９０】
まず、ＣＰＵ１１は、通信部１５を通じて照明機器２０に点灯部２４を点灯する起動信号を送信する（Ｓ２１）。なお、ＣＰＵ１１は、点灯部２４を点灯させる操作を受け付けてから起動信号を送信してもよい。
【００９１】
照明機器２０のＣＰＵ２１は、通信部２３を通じて制御装置１０から起動信号を受信する。起動信号を受信すると、ＣＰＵ２１は、記憶値（「１００」）を再生値として点灯部２４を点灯する（Ｓ２２）。ここでは、記憶値は、「１００」であり、再生値は、「１００」である。なお、ＣＰＵ２１は、通信部２３を通じてＡＣＫ応答を制御装置１０へ送信してもよい。
【００９２】
ＣＰＵ２１が点灯部２４を点灯すると、ＣＰＵ１１は、通信部１５を通じて照明機器２０へ再生値を取得するリクエストを送信する（Ｓ２３）。
【００９３】
ＣＰＵ２１は、通信部２３を通じて当該リクエストを受信する。当該リクエストを受信すると、ＣＰＵ２１は、記憶領域２２ｂから再生値（「１００」）を取得する（Ｓ２４）。再生値を取得すると、ＣＰＵ２１は、通信部２３を通じて再生値を格納するレスポンスを制御装置１０へ送信する（Ｓ２５）。
【００９４】
ＣＰＵ１１は、通信部１５を通じて当該レスポンスを受信する。当該レスポンスを受信すると、ＣＰＵ１１は、フレーム３２に当該レスポンスが格納する再生値（「１００」）を表示する（Ｓ２６）。
【００９５】
次に、照明システム１において制御装置１０が記憶値を変更し後に再生値を記憶値に戻す動作例について説明する。  
図８及び図９は、制御装置１０が記憶値を変更し後に再生値を記憶値に戻す動作例について説明するためのフローチャートである。ここでは、点灯部２４は、点灯しているものとする。また、記憶値は、「１００」であり、再生値は、「１００」であるものとする。
【００９６】
まず、制御装置１０のＣＰＵ１１は、操作部１６を通じて調光レベルを変更する操作を受け付ける（Ｓ３１）。ここでは、ＣＰＵ１１は、再生値を「２０」とする操作を受け付けたものとする。
【００９７】
調光レベルを変更する操作を受け付けると、ＣＰＵ１１は、通信部１５を通じて照明機器２０へ再生値（「２０」）を格納する調光信号を送信する（Ｓ３２）。
【００９８】
照明機器２０のＣＰＵ２１は、通信部２３を通じて当該調光信号を受信する。当該調光信号を受信すると、ＣＰＵ２１は、当該調光信号が格納する再生値（「２０」）に基づいて点灯部２４を調光する（Ｓ３３）。ここで、ＣＰＵ２１は、記憶領域２２ｂの再生値を「２０」に変更する。
【００９９】
点灯部２４を調光すると、ＣＰＵ２１は、通信部２３を通じて制御装置１０へＡＣＫ応答を送信する（Ｓ３４）。
【０１００】
ＣＰＵ１１は、通信部１５を通じて照明機器２０からＡＣＫ応答を受信する。ＡＣＫ応答を受信すると、ＣＰＵ１１は、所定のタイミングで、操作部１６を通じて記憶値を現在の再生値に変更する操作を受け付ける（Ｓ３５）。
【０１０１】
当該操作を受け付けると、ＣＰＵ１１は、通信部１５を通じて照明機器２０へ記憶値変更信号を送信する（Ｓ３６）。
【０１０２】
ＣＰＵ２１は、通信部２３を通じて記憶値変更信号を受信する。記憶値変更信号を受信すると、ＣＰＵ２１は、記憶領域２２ａにおいて記憶値を再生値（「２０」）に変更する（Ｓ３７）。ここで、記憶値は、「２０」であり、再生値は、「２０」である。
【０１０３】
記憶値を変更すると、ＣＰＵ２１は、通信部２３を通じて制御装置１０へＡＣＫ応答を送信する（Ｓ３８）。
【０１０４】
ＣＰＵ１１は、通信部１５を通じて照明機器２０からＡＣＫ応答を受信する。ＡＣＫ応答を受信すると、ＣＰＵ１１は、通信部１５を通じて照明機器２０へ記憶値及び再生値を取得するリクエストを送信する（Ｓ３９）。
【０１０５】
ＣＰＵ２１は、通信部２３を通じて当該リクエストを受信する。当該リクエストを受信すると、ＣＰＵ２１は、記憶領域２２ａ及び２２ｂからそれぞれ記憶値及び再生値を取得する（Ｓ４０）。記憶値及び再生値を取得すると、ＣＰＵ２１は、通信部２３を通じて制御装置１０へ記憶値及び再生値を格納するレスポンスを送信する（Ｓ４１）。
【０１０６】
ＣＰＵ１１は、通信部１５を通じて照明機器２０から当該レスポンスを受信する。当該レスポンスを受信すると、ＣＰＵ１１は、フレーム３２及びフレーム３３の表示をそれぞれレスポンスが格納する再生値及び記憶値に更新する（Ｓ４２）。
【０１０７】
フレーム３２及びフレーム３３の表示を更新すると、ＣＰＵ１１は、所定のタイミングで、操作部１６を通じて調光レベルを変更する操作を受け付ける（Ｓ４３）。ここでは、ＣＰＵ１１は、再生値を「５０」とする操作を受け付けたものとする。
【０１０８】
調光レベルを変更する操作を受け付けると、ＣＰＵ１１は、通信部１５を通じて照明機器２０へ再生値（「５０」）を格納する調光信号を送信する（Ｓ４４）。
【０１０９】
ＣＰＵ２１は、通信部２３を通じて当該調光信号を受信する。当該調光信号を受信すると、ＣＰＵ２１は、当該調光信号が格納する再生値（「５０」）に基づいて点灯部２４を調光する（Ｓ４５）。ここで、ＣＰＵ２１は、記憶領域２２ｂの再生値を「５０」に変更する。
【０１１０】
点灯部２４を調光すると、ＣＰＵ２１は、通信部２３を通じて制御装置１０へＡＣＫ応答を送信する（Ｓ４６）。
【０１１１】
ＣＰＵ１１は、通信部１５を通じて照明機器２０からＡＣＫ応答を受信する。ＡＣＫ応答を受信すると、ＣＰＵ１１は、所定のタイミングで、操作部１６を通じて照明機器２０をデフォルトの調光レベルに戻す操作を受け付ける（Ｓ４７）。当該操作を受け付けると、ＣＰＵ１１は、通信部１５を通じて照明機器２０へリセット信号を送信する（Ｓ４８）。
【０１１２】
ＣＰＵ２１は、通信部２３を通じて制御装置１０から当該リセット信号を受信する。当該リセット信号を受信すると、ＣＰＵ２１は、記憶値が示すデフォルトの調光レベルに点灯部２４を調光する（Ｓ４９）。また、ＣＰＵ２１は、記憶領域２２ｂにおいて再生値を「２０」に変更する。
【０１１３】
点灯部２４を調光すると、ＣＰＵ２１は、通信部２３を通じて制御装置１０へＡＣＫ応答を送信する（Ｓ５０）。
【０１１４】
ＣＰＵ１１は、通信部１５を通じて照明機器２０からＡＣＫ応答を受信する。ＡＣＫ応答を受信すると、ＣＰＵ１１は、フレーム３２において再生値を「２０」に更新する（Ｓ５１）。
【０１１５】
次に、照明システム１において制御装置１０が名称を照明機器２０に格納する動作例について説明する。  
図１０は、制御装置１０が名称を照明機器２０に格納する動作例について説明するためのフローチャートである。ここでは、記憶領域２２ｃは、名称として空欄を格納しているものとする。
【０１１６】
まず、制御装置１０のＣＰＵ１１は、通信部１５を通じて照明機器２０へ名称を取得するリクエストを送信する（Ｓ６１）。  
照明機器２０のＣＰＵ２１は、通信部２３を通じて制御装置１０から当該リクエストを受信する。当該リクエストを受信すると、ＣＰＵ２１は、記憶領域２２ｃから名称（「」（空欄））を取得する（Ｓ６２）。名称を取得すると、ＣＰＵ２１は、通信部２３を通じて名称を格納するレスポンスを制御装置１０へ送信する（Ｓ６３）。
【０１１７】
ＣＰＵ１１は、通信部１５を通じて照明機器２０から当該レスポンスを受信する。当該レスポンスを受信すると、ＣＰＵ１１は、テキストボックス３１にデフォルトの名称を表示する（Ｓ６４）。
【０１１８】
デフォルトの名称を表示すると、ＣＰＵ１１は、所定のタイミングで、操作部１６を通じて新たな名称の入力を受け付ける（Ｓ６５）。ここでは、ＣＰＵ１１は、新たな名称として「入口（１）」の入力を受け付けたものとする。
【０１１９】
新たな名称の入力を受け付けると、ＣＰＵ１１は、通信部１５を通じて照明機器２０に、新たな名称（「入口（１）」）を格納する名称変更信号を送信する（Ｓ６５）。
【０１２０】
ＣＰＵ２１は、通信部２３を通じて制御装置１０から当該名称変更信号を受信する。当該名称変更信号を受信すると、ＣＰＵ２１は、記憶領域２２ｃに名称として「入口（１）」を格納する（Ｓ６６）。
【０１２１】
名称として「入口（１）」格納すると、ＣＰＵ２１は、通信部２３を通じて制御装置１０へＡＣＫ応答を送信する（Ｓ６７）。
【０１２２】
次に、照明システム１において制御装置１０が名称を表示する動作例について説明する。  
図１１は、制御装置１０のＣＰＵ１１が名称を表示する動作例について説明するフローチャートである。ここでは、名称は、「入口（１）」であるものとする。
【０１２３】
まず、ＣＰＵ１１は、通信部１５を通じて照明機器２０へ名称を取得するリクエストを送信する（Ｓ７１）。
【０１２４】
照明機器２０のＣＰＵ２１は、通信部２３を通じて当該リクエストを受信する。当該リクエストを受信すると、ＣＰＵ２１は、記憶領域２２ｃから名称（「入口（１）」）を取得する（Ｓ７２）。名称を取得すると、ＣＰＵ２１は、通信部２３を通じて名称を格納するレスポンスを制御装置１０へ送信する（Ｓ７３）。
【０１２５】
ＣＰＵ１１は、通信部１５を通じて当該レスポンスを受信する。当該レスポンスを受信すると、ＣＰＵ１１は、テキストボックス３１に当該レスポンスが格納する名称（「入口（１）」）を表示する（Ｓ７４）。
【０１２６】
次に、照明システム１において制御装置１０が名称を削除する動作例について説明する。  
図１２は、制御装置１０のＣＰＵ１１が名称を削除する動作例について説明するフローチャートである。ここでは、名称は、「入口（１）」であるものとする。
【０１２７】
まず、制御装置１０ＣＰＵ１１は、操作部１６を通じて、名称を削除する操作（新たな名称として空欄を受け付ける操作）を受け付ける（Ｓ８１）。
【０１２８】
名称を削除する操作を受け付けると、ＣＰＵ１１は、通信部１５を通じて照明機器２０に、新たな名称として「」（空欄）を格納する名称変更信号を送信する（Ｓ８２）。
【０１２９】
ＣＰＵ２１は、通信部２３を通じて制御装置１０から当該名称変更信号を受信する。当該名称変更信号を受信すると、ＣＰＵ２１は、記憶領域２２ｃから名称を削除する（名称として「」（空欄）を格納する）（Ｓ８３）。
【０１３０】
名称を削除すると、ＣＰＵ２１は、通信部２３を通じて制御装置１０へＡＣＫ応答を送信する（Ｓ８４）。
【０１３１】
なお、ＣＰＵ１１は、Ｓ３８でＡＣＫ応答を受信すると記憶値の表示を更新してもよい。この場合、ＣＰＵ１１は、Ｓ３９乃至Ｓ４１を行わなくともよい。
【０１３２】
以上のように構成された照明システムは、照明機器にデフォルトの調光レベルとして格納される記憶値を制御装置からの信号に応じて変更することができる。そのため、照明システムは、照明機器に設定されるデフォルトの調光レベルを変更することができる。
【０１３３】
その結果、照明システムは、現在の調光レベルをデフォルトの調光レベルとして照明機器に設定した後にさらに照明機器を調光した場合であっても、照明機器の調光レベルをデフォルトの調光レベルとして設定した調光レベルに戻すことができる。
【０１３４】
また、照明システムは、制御装置からの信号に基づいて照明機器に名称を格納することができる。そのため、照明システムは、他の制御装置を用いて照明機器を制御する場合に照明機器から当該照明機器の名称を当該他の制御装置に送信することができる。その結果、照明システムは、他の制御装置を用いて照明機器を制御する場合であっても同一の名称を制御装置に表示させることができる。
【０１３５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１３６】
１…照明システム、１０…制御装置、１１…ＣＰＵ、１４…ＮＶＭ、１５…通信部、１６…操作部、１７…表示部、２０（２０ａ乃至２０ｃ）…照明機器、２１…ＣＰＵ、２２…メモリ部、２２ａ乃至２２ｃ…記憶領域、２３…通信部、２４…点灯部。
【図１】
2018037986.tif 000003
【図２】
2018037986.tif 000004
【図３】
2018037986.tif 000005
【図４】
2018037986.tif 000006
【図５】
2018037986.tif 000007
【図６】
2018037986.tif 000008
【図７】
2018037986.tif 000009
【図８】
2018037986.tif 000010
【図９】
2018037986.tif 000011
【図１０】
2018037986.tif 000012
【図１１】
2018037986.tif 000013
【図１２】
2018037986.tif 000014